(57)【要約】【課題】ランプ電流が休止期間を有さない放電ランプにおいても、精度良く放電ランプの寿命を検知することのできる放電ランプ点灯装置を提供すること。【解決手段】放電ランプ１を始動させる始動回路２を有して、スイッチ素子の切り替えにより電源から放電ランプ１に電力を供給する電力変換回路３と、スイッチ素子を制御する制御回路４と、放電ランプ１のランプ電流を検出するランプ電流検出部５と、放電ランプ１の異常を診断する診断部６と、を有する放電ランプ点灯装置において、前記診断部６は、前記ランプ電流検出部５の出力を受けてランプ電流の不均一性を判別する不均一電流判別回路７と、不均一電流判別回路７がランプ電流を不均一であると判別した場合に放電ランプ１の異常と判別する異常判別回路８と、を備えている。【選択図】        図１
2004234923.tif 000002
【特許請求の範囲】
【請求項１】
放電ランプを始動させる始動回路を有して、スイッチ素子の切り替えにより電源から放電ランプに電力を供給する電力変換回路と、スイッチ素子を制御する制御回路と、放電ランプのランプ電流を検出するランプ電流検出部と、放電ランプの異常を診断する診断部と、を有する放電ランプ点灯装置において、前記診断部は、前記ランプ電流検出部の出力を受けてランプ電流の不均一性を判別する不均一電流判別回路と、不均一電流判別回路がランプ電流を不均一であると判別した場合に放電ランプの異常と判別する異常判別回路と、を備えることを特徴とする放電ランプ点灯装置。
【請求項２】
前記不均一電流判別回路は、ランプ電流波形の正のサイクルの波形と、負のサイクルの波形を比較し、これらの波形が同一でないと見られる場合に、ランプ電流は不均一と判別するものであることを特徴とする請求項１記載の放電ランプ点灯装置。
【請求項３】
前記不均一電流判別回路は、ランプ電流波形の１周期における正のサイクルの波形と、負のサイクルの波形を比較し、これらが相似の関係にない場合に、ランプ電流は不均一と判別するものであることを特徴とする請求項１記載の放電ランプ点灯装置。
【請求項４】
前記不均一電流判別回路は、ランプ電流波形の任意の１周期における高調波成分と、他の周期における高調波成分とを比較し、これらの高調波成分が同一でないと見られる場合に、ランプ電流は不均一であると判別するものであることを特徴とする請求項１記載の放電ランプ点灯装置。
【請求項５】
前記不均一電流判別回路は、ランプ電流波形の任意の１周期におけるランプ電流の実効値と、他の周期におけるランプ電流の実効値とを比較し、これらが同一でないと見られる場合に、ランプ電流は不均一と判別するものであることを特徴とする請求項１記載の放電ランプ点灯装置。
【請求項６】
前記不均一電流判別回路は、ランプ電流波形の任意の１周期と、その直前のランプ電流波形の１周期とを比較するものであることを特徴とする請求項４又は請求項５記載の放電ランプ点灯装置。
【請求項７】
前記不均一電流判別回路は、ランプ電流波形の任意の１周期と、その前の数周期分の平均値とを比較するものであることを特徴とする請求項４又は請求項５記載の放電ランプ点灯装置。
【請求項８】
前記診断部に記憶部を備え、前記不均一電流判別回路は、ランプ電流波形の任意の１周期におけるランプ電流の実効値又は高調波成分と、記憶部に予め記憶されたランプ電流波形の１周期のランプ電流の実効値又は高調波成分とを比較し、これらが同一でないと見られる場合に、ランプ電流は不均一と判別するものであることを特徴とする請求項１記載の放電ランプ点灯装置。
【請求項９】
前記異常判別回路は、前記不均一電流判別回路がランプ電流を不均一であると判別した判別回数が、所定の判別回数を超えた場合に、放電ランプが異常と判別するものであることを特徴とする請求項１乃至請求項８記載の放電ランプ点灯装置。
【請求項１０】
前記異常判別回路は、前記不均一電流判別回路がランプ電流を不均一であると判別した判別回数が、放電ランプの始動後、所定の判別回数を超えた場合に、放電ランプが異常と判別するものであることを特徴とする請求項９記載の放電ランプ点灯装置。
【請求項１１】
前記異常判別回路は、前記不均一電流判別回路がランプ電流を不均一であると判別した判別回数が、所定の時間内に所定の判別回数を超えた場合に、放電ランプが異常であると判別するものであることを特徴とする請求項９記載の放電ランプ点灯装置。
【請求項１２】
前記異常判別回路は、前記不均一電流判別回路におけるランプ電流を不均一であるとの判別が、継続的に発生した場合にのみ判別回数としてカウントし、判別回数が、所定の判別回数を超えた場合に、放電ランプが異常であると判別するものであることを特徴とする請求項９記載の放電ランプ点灯装置。
【請求項１３】
前記異常判別回路は、所定期間内における不均一電流判別回路がランプ電流を不均一であると判別する発生割合が、所定の割合を超えた場合に、放電ランプが異常であると判別するものであることを特徴とする請求項１乃至請求項８記載の放電ランプ点灯装置。
【請求項１４】
前記異常判別回路は、放電ランプが消灯後、再び始動回路が動作を開始するまでの消灯時間に応じて、異常と判別する不均一電流判別回路の所定の判別回数を変化させることを特徴とする請求項９乃至請求項１３記載の放電ランプ点灯装置。
【請求項１５】
前記異常判別回路は、放電ランプが始動した後の、経過時間に応じて、異常と判別する不均一電流判別回路の所定の判別回数を変化させることを特徴とする請求項９乃至請求項１３記載の放電ランプ点灯装置。
【発明の詳細な説明】
【０００１】
【発明の属する技術分野】
本発明は、放電ランプ点灯装置、特に保護機能を有する放電ランプ点灯装置に関するものである。
【０００２】
【従来の技術】
この種の従来例として本出願人は、特開平８−２８８０７７号公報に示すものを提案している。このものは、直流電源と、該直流電源電圧を、所定電圧の直流電圧に変換するＤＣ／ＤＣコンバータ回路部と、該ＤＣ／ＤＣコンバータ回路部の出力を平滑する平滑コンデンサと、該平滑コンデンサを直流電源として動作し、直流を矩形波の交流に変換するインバータ回路部と、該インバータ回路部により電力供給を受ける放電灯と含む負荷回路とから構成された放電灯点灯装置において、放電灯の点灯状態要素に基づいて寿命末期を検知する寿命末期検知部を備え、寿命末期検知部は、インバータ回路部から出力されるランプ電流の極性反転時の休止期間が所定以上拡大したときに、寿命末期と判断することを特徴としている。
【０００３】
【特許文献１】
特開平８−２８８０７７号公報
【０００４】
【発明が解決しようとする課題】
しかしながら、上記従来例では、ランプ電流が極性反転時に休止期間を有さないような放電ランプ又は点灯方式である場合には、休止期間を検知して放電ランプの寿命末期を検知することはできない。
【０００５】
本発明は、かかる事由に鑑みてなしたものであり、その目的とするところは、ランプ電流が休止期間を有さない放電ランプにおいても、精度良く放電ランプの寿命を検知することのできる放電ランプ点灯装置を提供することである。
【０００６】
【課題を解決するための手段】
請求項１に係る発明は、放電ランプを始動させる始動回路を有して、スイッチ素子の切り替えにより電源から放電ランプに電力を供給する電力変換回路と、スイッチ素子を制御する制御回路と、放電ランプのランプ電流を検出するランプ電流検出部と、放電ランプの異常を診断する診断部と、を有する放電ランプ点灯装置において、前記診断部は、前記ランプ電流検出部の出力を受けてランプ電流の不均一性を判別する不均一電流判別回路と、不均一電流判別回路がランプ電流を不均一であると判別した場合に放電ランプの異常と判別する異常判別回路と、を備えることを特徴とする。
【０００７】
請求項２に係る発明は、請求項１記載の放電ランプ点灯装置において、前記不均一電流判別回路は、ランプ電流波形の正のサイクルの波形と、負のサイクルの波形を比較し、これらの波形が同一でないと見られる場合に、ランプ電流は不均一と判別するものであることを特徴とする。
【０００８】
請求項３に係る発明は、請求項１記載の放電ランプ点灯装置において、前記不均一電流判別回路は、ランプ電流波形の１周期における正のサイクルの波形と、負のサイクルの波形を比較し、これらが相似の関係にない場合に、ランプ電流は不均一と判別するものであることを特徴とする請求項１記載の放電ランプ点灯装置。
【０００９】
請求項４に係る発明は、請求項１記載の放電ランプ点灯装置において、前記不均一電流判別回路は、ランプ電流波形の任意の１周期における高調波成分と、他の周期における高調波成分とを比較し、これらの高調波成分が同一でないと見られる場合に、ランプ電流は不均一であると判別するものであることを特徴とする。
【００１０】
請求項５に係る発明は、請求項１記載の放電ランプ点灯装置において、前記不均一電流判別回路は、ランプ電流波形の任意の１周期におけるランプ電流の実効値と、他の周期におけるランプ電流の実効値とを比較し、これらが同一でないと見られる場合に、ランプ電流は不均一と判別するものであることを特徴とする。
【００１１】
請求項６に係る発明は、請求項４又は請求項５記載の放電ランプ点灯装置において、前記不均一電流判別回路は、ランプ電流波形の任意の１周期と、その直前のランプ電流波形の１周期とを比較するものであることを特徴とする。
【００１２】
請求項７に係る発明は、請求項４又は請求項５記載の放電ランプ点灯装置において、前記不均一電流判別回路は、ランプ電流波形の任意の１周期と、その前の数周期分の平均値とを比較するものであることを特徴とする。
【００１３】
請求項８に係る発明は、請求項１記載の放電ランプ点灯装置において、前記診断部に記憶部を備え、前記不均一電流判別回路は、ランプ電流波形の任意の１周期におけるランプ電流の実効値又は高調波成分と、記憶部に予め記憶されたランプ電流波形の１周期のランプ電流の実効値又は高調波成分とを比較し、これらが同一でないと見られる場合に、ランプ電流は不均一と判別するものであることを特徴とする。
【００１４】
請求項９に係る発明は、請求項１乃至請求項８記載の放電ランプ点灯装置において、前記異常判別回路は、前記不均一電流判別回路がランプ電流を不均一であると判別した判別回数が、所定の判別回数を超えた場合に、放電ランプが異常と判別するものであることを特徴とする。
【００１５】
請求項１０に係る発明は、請求項９記載の放電ランプ点灯装置において、前記異常判別回路は、前記不均一電流判別回路がランプ電流を不均一であると判別した判別回数が、放電ランプの始動後、所定の判別回数を超えた場合に、放電ランプが異常と判別するものであることを特徴とする。
【００１６】
請求項１１に係る発明は、請求項９記載の放電ランプ点灯装置において、前記異常判別回路は、前記不均一電流判別回路がランプ電流を不均一であると判別した判別回数が、所定の時間内に所定の判別回数を超えた場合に、放電ランプが異常であると判別するものであることを特徴とする。
【００１７】
請求項１２に係る発明は、請求項９記載の放電ランプ点灯装置において、前記異常判別回路は、前記不均一電流判別回路におけるランプ電流を不均一であるとの判別が、継続的に発生した場合にのみ判別回数としてカウントし、判別回数が、所定の判別回数を超えた場合に、放電ランプが異常であると判別するものであることを特徴とする。
【００１８】
請求項１３に係る発明は、請求項１乃至請求項８記載の放電ランプ点灯装置において、前記異常判別回路は、所定期間内における不均一電流判別回路がランプ電流を不均一であると判別する発生割合が、所定の割合を超えた場合に、放電ランプが異常であると判別するものであることを特徴とする
請求項１４に係る発明は、請求項９乃至請求項１３記載の放電ランプ点灯装置において、前記異常判別回路は、放電ランプが消灯後、再び始動回路が動作を開始するまでの消灯時間に応じて、異常と判別する不均一電流判別回路の所定の判別回数を変化させることを特徴とする。
【００１９】
請求項１５に係る発明は、請求項９乃至請求項１３記載の放電ランプ点灯装置において、前記異常判別回路は、放電ランプが始動した後の、経過時間に応じて、異常と判別する不均一電流判別回路の所定の判別回数を変化させることを特徴とする。
【００２０】
【発明の実施の形態】
（第１の実施形態）
第１の実施形態を、図１から図４に基づいて説明する。図１は、第１の実施形態の構成図である。図２は、第１の実施形態の回路図である。図３は、第１の実施形態の不均一電流判別回路の構成図を示す図である。図４は、第１の実施形態の動作波形説明図である。
【００２１】
本実施形態においては、図１に示すように、放電ランプ１を始動させる始動回路２を有して、スイッチ素子の切り替えにより電源から放電ランプ１に電力を供給する電力変換回路３と、スイッチ素子を制御する制御回路４と、放電ランプ１のランプ電流を検出するランプ電流検出部５と、放電ランプ１の異常を診断する診断部６と、を有する放電ランプ点灯装置において、前記診断部６は、前記ランプ電流検出部５の出力を受けてランプ電流の不均一性を判別する不均一電流判別回路７と、不均一電流判別回路７がランプ電流を不均一であると判別した場合に放電ランプの異常と判別する異常判別回路８と、を備えている。
【００２２】
放電灯１は、図１に示すように、たとえばバルブ内部に水銀と始動用の希ガスとハロゲン化金属が封入された発光管９を有するメタルハライドランプであり、後述する電力変換回路３に接続されている。
【００２３】
始動回路２は、放電ランプ１を始動させるための高電圧を発生させるもので、たとえば、図２に示すようにパルス発生回路１０及びトランスＰＴを有し、パルス発生回路１０は、トランスＰＴの１次側に接続され、トランスＰＴの２次側は、スイッチ素子Ｓ３とスイッチ素子Ｓ４の接続部と放電ランプ１に接続されている。
【００２４】
電力変換回路３は、スイッチ素子Ｓ１〜Ｓ６の切り替えにより電源から放電ランプ１に電力を供給するもので、整流部１１、ＰＦＣ回路１２、出力電力変換回路１３、インバータ回路１４及び始動回路２が直列に接続されて構成されている。整流部１１は、交流電源の交流電圧を整流するもので、ダイオードブリッジで構成されており、整流部１１の入力端子は電源に接続され、出力端子はＰＦＣ回路１２に接続されている。
【００２５】
ＰＦＣ回路１２は、電源から取りこむ電流波形を正弦波状に整形し、また直流電圧を出力するもので、インダクタＬ１、ダイオードＤ１、スイッチ素子Ｓ１及びコンデンサＣ１から構成されている。整流部１１の出力端子には、インダクタＬ１とダイオードＤ１とが直列に接続され、インダクタＬ１とダイオードＤ１の接続部とグランド間には、スイッチ素子Ｓ１が接続されている。また、ダイオードＤ１のカソード側には、コンデンサＣ１が接続されている。
【００２６】
出力電力変換回路１３は、ＰＦＣ回路１２の出力電圧を受けて放電ランプ１に供給する電力を調整するもので、スイッチ素子Ｓ２、インダクタＬ２、ダイオードＤ２及びコンデンサＣ２で構成される。ＰＦＣ回路１２の出力端子には、スイッチ素子Ｓ２とインダクタＬ２が直列に接続され、スイッチ素子Ｓ２とインダクタＬ２の接続部とグランドＧ間には、ダイオードＤ２が接続されている。また、インダクタＬ２の負荷側とグランドＧ間には、コンデンサＣ２が接続されている。
【００２７】
インバータ回路１４は、出力電力変換回路１３の出力電圧を受けて交流に変換するもので、スイッチ素子Ｓ３〜Ｓ６で構成されている。スイッチ素子Ｓ３とスイッチ素子Ｓ４の直列回路は、出力電力変換回路１３の出力端子間に接続されている。また、スイッチ素子Ｓ３とスイッチ素子Ｓ４の直列回路に並列にスイッチ素子Ｓ５とスイッチ素子Ｓ６の直列回路が接続されている。
【００２８】
制御回路４は、ＰＦＣ制御回路１５、出力制御回路１６、インバータ制御回路１７、イグナイタ制御回路１８からなるものである。ＰＦＣ制御回路１５は、電源から取りこむ電流波形を正弦波状に整形し、また直流電圧を出力するため、スイッチ素子Ｓ１のスイッチングを制御するもので、後述する診断部６及びスイッチ素子Ｓ１のゲートに接続されている。出力制御回路１６は、ＰＦＣ回路１２の出力電圧を受けて放電ランプ１に供給する電力を調整するため、スイッチ素子Ｓ２のスイッチングを制御するもので、後述する診断部６及びスイッチ素子Ｓ２のゲートに接続されている。インバータ制御回路１７は、出力電力変換回路１３の直流出力電圧を交流電圧に変換するため、スイッチ素子Ｓ３及びスイッチ素子Ｓ６と、スイッチ素子Ｓ４及びスイッチ素子Ｓ５を交互にスイッチングするように制御するもので、後述する診断部６及びスイッチ素子Ｓ３〜６のゲートに接続されている。イグナイタ制御回路１８は、パルス発生回路１０を制御するもので、後述する診断部６及びスイッチＳＷを介してパルス発生回路１０に接続されている。
【００２９】
ランプ電流検出部５は、放電ランプ１のランプ電流を検出するもので、インバータ回路１４と不均一電流判別回路７に接続されている。
【００３０】
診断部６は、ランプ電流検出部５の出力を受けてランプ電流の不均一性を判別する不均一電流判別回路７と、不均一電流判別回路７がランプ電流を不均一であると判別した場合に放電ランプの異常と判別する異常判別回路８と、を備えるものである。
【００３１】
不均一電流判別回路７は、図３に示す構成からなり、ランプ電流波形の正のサイクルの波形と、負のサイクルの波形を比較し、これらの波形が同一でないと見られる場合に、ランプ電流は不均一と判別するものである。すなわち、始動動作時間カウンタ１９の出力を受けてランプ電流と同期した信号を出力するランプ電流同期タイマ２０と、ランプ電流同期タイマ２０の出力信号によって、所定の取り込みタイミングが決まるランプ電流取込回路２１、２２と、ランプ電流取込回路２２の絶対値を出力する絶対値回路２３と、ランプ電流取込回路２１と絶対値回路２３の出力を比較して異常判別回路８に不均一電流の判別信号を出力する比較回路２４とからなっている。
【００３２】
異常判別回路８は、不均一電流判別回路７の出力を受けて放電ランプ１の異常を判断するもので、制御回路４の出力電力変換回路１３及び不均一電流判別回路７に接続されている。なお、異常判別回路８の構成については、第６の実施形態以降で説明する。
【００３３】
つぎに、本実施形態の動作について説明する。図２に示す電力変換回路３に電源が接続されると整流部１１は交流電源の交流電圧を整流する。そして、ＰＦＣ回路１２は、スイッチ素子Ｓ１をスイッチングすることにより電源から取りこむ電流波形を正弦波状に整形し、また所望の直流電圧に変換し、コンデンサＣ２は、所定の電圧値にまで充電される。出力電力変換回路１３は、ＰＦＣ回路１２の出力電圧を受けて放電ランプ１に供給する電力を調整する。その後、インバータ回路１４のスイッチ素子Ｓ３及びスイッチ素子Ｓ６と、スイッチ素子Ｓ４及びスイッチ素子Ｓ５を交互にスイッチングすることにより、矩形波の交流電圧が放電ランプ１に出力される。そして、始動回路２のパルス発生回路１０が、パルス電圧を放電ランプ１に印加することにより、放電ランプ１が始動し点灯する。放電ランプ１の点灯後、診断部６は、以下の動作でランプ電流を診断する。
【００３４】
まず、診断部６内の不均一電流判別回路７の動作について、図３及び図４に基づいて説明する。図３は前述のように不均一電流判別回路の構成図を示す図である。図４は、動作波形説明図であり、経過時間に対して各々、始動動作時間の（ａ）タイマカウント数、（ｂ）ランプ電流波形、（ｃ）同期タイマ（１）、（ｄ）同期タイマ（２）、（ｅ）正のサイクルのランプ電流（１）、（ｆ）負のサイクルのランプ電流（２）、を示したものである。
【００３５】
ランプ電流同期タイマ２０は、始動動作時間カウンタ１９の出力を受けてランプ電流と同期した信号を、ランプ電流取込回路２１及びランプ電流取込回路２２に出力する。ランプ電流取込回路２１は、図４（ｃ）に示す同期タイマ１の信号及びランプ電流の検出値を取り込み、同期タイマ１の信号に同期するランプ電流検出値を比較回路２４に出力する。ランプ電流取込回路２２は、図４（ｃ）に示す同期タイマ２の信号及びランプ電流の検出値を取り込み、同期タイマ２の信号に同期するランプ電流検出値を出力する。絶対値回路２３は、ランプ電流取込回路２２の出力を受け、絶対値に変換して、比較回路２４に出力する。比較回路２４は、ランプ電流取込回路２１及び絶対値回路２３の出力を比較して、異常判別回路８に不均一電流の判別信号を出力する。すなわち、図４（ｅ）のランプ電流（１）の波形と、図４（ｆ）ののランプ電流（２）の波形を比較して、同一でないと見られる場合には、ランプ電流が不均一であると判断して、異常判別回路８に信号を出力する。そして、異常判別回路８は、この信号に応じて、電力変換回路３の出力を停止、又は弱める。
【００３６】
以上のようにすることにより、簡単な構成でランプ電流の不均一性を判別することができる。また、ランプ電流が休止期間を有さない場合においても、精度よく放電ランプの寿命を検出することができる。
【００３７】
なお、ランプ電流取込回路２１、２２は、別々でなくても良く、たとえばマイコンのメモリなどを用いてデータを記憶するようにすれば、単一のランプ電流取り込み回路とすることができる。
【００３８】
（第２の実施形態）
第２の実施形態を、図５及び図６に基づいて説明する。図５は、第２の実施形態の構成図である。図６は、第２の実施形態の動作波形説明図である。
【００３９】
本実施形態は、ランプ電流波形の１周期における正のサイクルの波形と、負のサイクルの波形を比較し、これらが相似の関係にない場合に、ランプ電流は不均一と判別するものであり、除算回路３０及び直流電源ＶＫを設けた点が第１の実施形態と異なり、他は同じである。すなわち、絶対値回路２３及びランプ電流取込回路２１の出力端子に、ランプ電流取込回路２１と絶対値回路２３の出力を除算する除算回路３０が接続され、除算回路３０の出力端子は、比較回路２４に接続されている。また、比較回路２４には、除算回路３０の出力と比較する任意の直流電圧を出力する直流電源ＶＫが接続されている。
【００４０】
以上の構成における動作を、図６の動作波形説明図にしたがって説明する。図６は、経過時間に対して各々（ａ）ランプ電流波形、（ｂ）同期タイマ（１）、（ｃ）同期タイマ（２）、（ｄ）ランプ電流（１）、（ｅ）ランプ電流（２）、（ｆ）除算結果を示している。ここで、ランプ電流取込回路２１及び絶対値回路２３の出力までは第１の実施形態と同じ動作を行うので説明を省略する。除算回路３０は、ランプ電流取込回路２１と絶対値回路２３の出力波形を除算する。すなわち、図６（ｄ）の波形と、図６（ｅ）の鎖線で示した波形を除算するのである。そして、除算回路３０は、図６（ｆ）に示す除算結果を、比較回路２４に出力する。ここで、図６（ｆ）中１点鎖線は、ランプ電流の正のサイクルの波形と負のサイクルの波形が相似形でない場合を示す。また、実線は、ランプ電流の正のサイクルの波形と負のサイクルの波形が相似形である場合を示す。比較回路２４は、除算回路３０から除算結果を受け、直流電源ＶＫが出力する任意の直流電圧と比較し、これらが同一でないと見られる場合には、ランプ電流が不均一であると判別して、異常判別回路８に信号を出力する。そして、異常判別回路８は、この信号に応じて、電力変換回路３の出力を停止、又は弱める。
【００４１】
以上のようにしたので、ランプ電流が時間の経過とともに大きくなるようなランナップ時においてランプ電流の不均一性を判別し、放電ランプ１の異常を判別することができる。
【００４２】
（第３の実施形態）
第３の実施形態を、図７及び図８に基づいて説明する。図７は、第３の実施形態の構成図である。図８は、第３の実施形態の動作波形説明図である。
【００４３】
本実施形態は、ランプ電流波形の任意の１周期における高調波成分と、他の周期における高調波成分とを比較し、これらの高調波成分が同一でないと見られる場合に、ランプ電流は不均一であると判別するものであり、ＦＦＴ演算回路４０、４１を設け、絶対値回路２３を省いたことが第１の実施形態と異なる点で他は、同じである。すなわち、ランプ電流取込回路２１の出力端子には、高調波次数毎の電流を演算するＦＦＴ演算回路４０が接続され、ＦＦＴ演算回路４０の出力端子は比較回路２４に接続されている。また、ランプ電流取込回路２２の出力端子には、高調波次数毎の電流を演算するＦＦＴ演算回路４１が接続され、ＦＦＴ演算回路４１の出力端子は比較回路２４に接続されている。
【００４４】
以上の構成における動作を、図８の動作波形説明図にしたがって説明する。図８は、経過時間に対して各々（ａ）ランプ電流波形、（ｂ）同期タイマ（１）、（ｃ）同期タイマ（２）、（ｄ）ＦＦＴ演算回路４０の演算結果、（ｅ）ＦＦＴ演算回路４１の演算結果を示している。
【００４５】
ランプ電流取込回路２１及び２２は、図８（ｂ）及び（ｃ）に示すランプ電流同期タイマ２０の出力を受け、それぞれ異なる１周期のタイミングを出力する。ＦＦＴ演算回路４０は、ランプ電流取込回路２１からの出力を受けて高調波次数毎の電流を演算して、図８（ｄ）に示すような演算結果を、比較回路２４に出力する。ＦＦＴ演算回路４１は、ランプ電流取込回路２２からの出力を受けて高調波次数毎の電流を演算して、図８（ｅ）に示すような演算結果を、比較回路２４に出力する。比較回路２４は、ＦＦＴ演算回路４０及びＦＦＴ演算回路４１の出力を受け、各々の次数における電流値を比較し、これらが同一でないと見られる場合には、ランプ電流が不均一であると判断して、異常判別回路８に信号を出力する。そして、異常判別回路８は、この信号に応じて、電力変換回路３の出力を停止、又は弱める。
【００４６】
以上のように、ＦＦＴ演算によりランプ電流の不均一性を見るため、同期タイマの検出期間が１周期でさえあれば、検出するタイミングを任意に設定することができるので、検出制御の自由度が広がる。
【００４７】
なお、ＦＦＴ演算については、マイコンを用いることにより、比較的容易に行うことができる。
【００４８】
（第４の実施形態）
第４の実施形態を、図９、図１０及び図１１に基づいて説明する。図９は、第４の実施形態の構成図である。図１０は、第４の実施形態の第１の動作波形説明図である。図１１は、第４の実施形態の第２の動作波形説明図である。
【００４９】
本実施形態は、ランプ電流波形の任意の１周期におけるランプ電流の実効値と、他の周期におけるランプ電流の実効値とを比較し、これらが同一でないと見られる場合に、ランプ電流は不均一と判別するものであり、実効値演算回路５０、５１を設け、絶対値回路２３を省いたことが第１の実施形態と異なる点で他は、同じである。すなわち、ランプ電流取込回路２１の出力端子には、ランプ電流の実効値を演算する実効値演算回路５０が接続され、実効値演算回路５０の出力端子は比較回路２４に接続されている。また、ランプ電流取込回路２２の出力端子には、ランプ電流の実効値を演算する実効値演算回路５１が接続され、実効値演算回路５１の出力端子は比較回路２４に接続されている。
【００５０】
以上の構成における動作を、図１０及び図１１の動作波形説明図にしたがって説明する。図１０及び図１１は、経過時間に対して各々（ａ）ランプ電流波形、（ｂ）同期タイマ（１）、（ｃ）同期タイマ（２）を示している。
【００５１】
ランプ電流取込回路２１及び２２は、図１０（ｂ）及び（ｃ）に示すように、ランプ電流同期タイマ２０の出力を受け、それぞれ異なる１周期のタイミングを出力する。実効値演算回路５０は、ランプ電流取込回路２１からの出力を受けてランプ電流の実効値を演算して、演算結果を比較回路２４に出力する。実効値演算回路５１は、ランプ電流取込回路２２からの出力を受けてランプ電流の実効値を演算して、演算結果を比較回路２４に出力する。ここで、実効値の演算には、たとえば実効値演算回路５０、５１に第３の実施形態で述べたＦＦＴ演算回路を組み込んで、各次数毎の電流値を測定し、その各電流値の自乗の和の平方根を取ることで容易に演算することができる。なお、これらの演算は、マイコン等を用いることにより比較的容易、且つ瞬時に行うことができる。そして、比較回路２４は、実効値演算回路５０及び実効値演算回路５１の出力を受け、各々の実効値を比較し、略同一でない場合には、ランプ電流が不均一であると判断して、異常判別回路８に信号を出力する。そして、異常判別回路８は、この信号に応じて、電力変換回路３の出力を停止、又は弱める。
【００５２】
なお、図１０は、同期タイマ（１）及び（２）のタイミングを、ランプ電流波形の任意の１周期と、その直前のランプ電流波形の１周期とを比較するものである。このように連続した波形を比較することにより、任意の時間内において、全周期でランプ電流を比較することができるので、検出をより正確に行うことができる。図１１は、同期タイマ１のタイミングを３周期とし、同期タイマ２のタイミングを１周期としたものである。すなわち、ランプ電流波形の任意の１周期と、その前の数周期分の平均値とを比較するものである。このように、数周期分の実効値を演算し、その平均を取ることによりノイズ等によるランプ電流の突発的な誤検出を抑制することができる。
【００５３】
以上のように、ランプ電流の実効値を比較するようにしたので、比較回路２４による演算が１回で済み、比較回路２４の負担を軽減することができる。
（第５の実施形態）
第５の実施形態を、図１２及び図１３に基づいて説明する。図１２は、第５の実施形態の構成図である。図１３は、第５の実施形態の動作波形説明図である。
【００５４】
本実施形態は、ランプ電流波形の任意の１周期と、記憶部６０に予め記憶されたランプ電流波形の１周期とを比較するものであり、記憶部６０を設け、ランプ電流取込回路２２及び実効値演算回路５１を省いた点が、第４の実施形態と異なり、他は同じである。すなわち、記憶部６０を設け、記憶部６０の入力端子を、始動動作時間カウンタ１９の出力端子に接続し、そして記憶部６０の出力端子を、比較回路２４の入力端子に接続している。
【００５５】
以上の構成における動作を、図１３の動作波形説明図にしたがって説明する。図１３は、経過時間に対して各々（ａ）ランプ電流波形、（ｂ）同期タイマ、（ｃ）記憶部データを示している。ランプ電流同期タイマ２０は、始動動作時間カウンタ１９により、たとえば始動後経過時間ｔ１時のタイミングで、信号を受け、ランプ電流取込回路２１に図１３（ｂ）に示す信号を出力する。ランプ電流取込回路２１は、ランプ電流同期タイマ２０の出力を受け、ランプ電流の実効値を演算し、比較回路２４に出力する。一方、記憶部６０には、図１３（ｃ）に示す始動後経過時間に応じたランプ電流の実効値が記憶されている。これにより、始動動作時間カウンタ１９により、たとえば始動後経過時間ｔ１時のタイミングで信号を受けた場合には、始動後経過時間ｔ１に対応するランプ電流の実効値Ｉ１を、比較回路２４に出力する。そして、比較回路２４は、実効値演算回路５０及び記憶部６０の出力を受け、記憶部６０に記憶したランプ電流の実効値Ｉ１と検出したランプ電流の実効値を比較し、それらが同一でないと見られる場合には、ランプ電流が不均一であると判断して、異常判別回路８に信号を出力する。そして、異常判別回路８は、この信号に応じて、電力変換回路３の出力を停止、又は弱める。
【００５６】
以上のように、記憶部６０に記憶したランプ電流の実効値Ｉ１と検出したランプ電流の実効値を比較することにより、ランプ電流が経過時間とともに時々刻々と変化する場合にも対処することができ、ランナップモードの時にも精度良く不均一電流を検出することが可能となる。
【００５７】
なお、記憶部６０のデータは、上記、実効値に限定されるものではなく、第３の実施形態で説明した各次数毎の高調波のデータであってもよい。この場合には、実効値演算回路５０に代えてＦＦＴ演算回路４０を用いる。
【００５８】
（第６の実施形態）
第６の実施形態を、図１４及び図１５に基づいて説明する。図１４は、第６の実施形態の構成図である。図１５は、第６の実施形態の動作波形説明図である。
【００５９】
本実施形態は、異常判別回路８に関し、前記不均一電流判別回路７がランプ電流を不均一であると判別した判別回数が、所定の回数を超えた場合に、放電ランプ１が異常と判別するものであって、特に前記不均一電流判別回路７がランプ電流を不均一であると判別した判別回数が、放電ランプ１の始動後、所定の判別回数を超えた場合に、放電ランプ１が異常と判別するものであり、異常判別回路８は、累積カウンタ７０及び比較部７１を備えている。すなわち、累積カウンタ７０は、始動動作時間カウンタ１９の出力及び不均一電流判別回路７の出力を受けてランプ電流が不均一であると判別した判別回数を累積するもので、異常判別回路８内の累積カウンタ７０の入力端子には、始動動作時間カウンタ１９及び不均一電流判別回路７が接続され、出力端子は、比較部７１に接続されている。比較部７１は、累積カウンタ７０がカウントした回数と所定の回数ｎｋを比較して、カウントした回数が所定の回数ｎｋを超える場合には、放電ランプ１が異常と判断するもので、比較部７１の入力端子は累積カウンタ７０に接続され、出力端子は、制御回路４に接続されている。
【００６０】
以上の構成における動作を、図１５の動作波形説明図に基づいて説明する。図１５は、経過時間に対して各々不均一電流の（ａ）判別回数、（ｂ）異常検出信号を示している。累積カウンタ７０は、始動動作時間カウンタ１９の出力を受け、不均一電流判別回路７の不均一判別の出力のカウントを開始する。そして、図１５（ａ）に示すように、累積カウンタ７０がカウントした判別回数が、所定の回数ｎｋに達した経過時間ｔ０において、比較部７１は、放電ランプ１が異常と判断し、図１５（ｂ）に示すように制御回路４に異常検出信号を出力する。この異常検出信号により、電力変換回路３の出力を停止、又は弱める。
【００６１】
以上のように、異常判別回路８を動作させることにより、不均一電流判別回路７の信号を受けて放電ランプ１の異常を容易に判別することができるようになる。また、放電ランプ始動後、早期に放電ランプの異常を検出することができる。（第７の実施形態）
第７の実施形態を、図１６及び図１７に基づいて説明する。図１６は、第７の実施形態の構成図である。図１７は、第７の実施形態の動作波形説明図である。
【００６２】
本実施形態は、異常判別回路８に関し、不均一電流判別回路７がランプ電流を不均一であると判別した判別回数が、所定の時間内に所定の判別回数を超えた場合に、放電ランプ１が異常であると判別するものであり、タイマ８１を設け、タイマ８１の出力端子を累積カウンタ７０に接続した点が第６の実施形態と異なり、他は同じである。
【００６３】
以上の構成における動作を、図１７の動作波形説明図にしたがって説明する。図１７は、経過時間に対して各々（ａ）タイマ出力、不均一電流の（ｂ）判別回数、（ｃ）異常検出信号を示している。
【００６４】
放電ランプ１の始動後の初期状態において、累積カウンタ７０はカウントを停止している。そして、放電ランプ１が始動した後、一定時間ｔ０後に、タイマ８１は、累積カウンタ７０に信号を出力する。これにより、累積カウンタ７０は、不均一電流判別回路７から出力される不均一判別の信号のカウントを開始する。
【００６５】
その後、不均一電流の判別回数が所定の判別回数ｎｋに達した経過時間ｔ１において、比較部７１は、放電ランプ１が異常と判断し、図１７（ｂ）に示すように制御回路４に異常検出信号を出力する。この異常検出信号により、電力変換回路３の出力を、電力変換回路３の出力を停止、又は弱める。
【００６６】
以上のように、タイマ８１の動作により検出期間を調整することにより、不均一電流の発生頻度が経過時間に対して片寄る場合においても、比較部７１の所定の回数を変化させることなく検出することが可能となる。
（第８の実施形態）
第８の実施形態を、図１８及び図１９に基づいて説明する。図１８は、第８の実施形態の構成図である。図１９は、第８の実施形態の動作波形説明図である。
【００６７】
本実施形態は、異常判別回路８に関し、前記不均一電流判別回路におけるランプ電流を不均一であるとの判別が、継続的に発生した場合にのみ判別回数としてカウントし、判別回数が、所定の判別回数を超えた場合に、放電ランプが異常であると判別するものであり、不均一電流が継続する場合に、累積カウンタ７０に不均一電流の信号を出力する継続比較回路９０を設けた点が第６の実施形態と異なる。継続比較回路９０の入力端子は、始動動作時間カウンタ１９及び不均一電流判別回路７に接続されている。また、継続比較回路９０の出力端子は、累積カウンタ７０に接続されている。
【００６８】
以上の構成における動作を、図１９の動作波形説明図にしたがって説明する。図１９は、経過時間に対して各々（ａ）不均一電流判別回路出力、（ｂ）継続比較回路出力、不均一電流の（ｃ）判別回数、（ｄ）異常検出信号を示している。なお、（ａ）に示す不均一電流判別回路出力は、電流が不均一である場合に信号を出力するものであり、また、各信号の周期Ｔａは、ランプ電流の１周期に対応している。
【００６９】
継続比較回路９０は、始動動作時間カウンタ１９からの信号を受けて動作を開始し、図１９（ｂ）に示すように、不均一電流判別回路７からの出力が２周期以上、継続する場合に累積カウンタ７０に信号を出力する。そして、図１９（ｃ）に示すように、累積カウンタ７０がカウントした不均一電流の判別回数が、所定の回数ｎｋに達した経過時間ｔ０において、比較部７１は、放電ランプ１が異常と判断し、図１９（ｄ）に示すように制御回路４に異常検出信号を出力する。この異常検出信号により、電力変換回路３の出力を停止、又は弱める。
【００７０】
以上のように、不均一電流判別回路の判別回数が、継続的に発生した場合に、累積カウンタ７０が判別回数をカウントするため、突発的な外乱等による誤検出を抑制することができる。
（第９の実施形態）
第９の実施形態を、図１５及び図２０に基づいて説明する。図１５は、前述の第７の実施形態の構成図であって、第９の実施形態のおいても、その構成は同様である。図２０は、第９の実施形態の動作波形説明図である。
【００７１】
本実施形態は、異常判別回路８に関し、所定期間内における不均一電流判別回路７がランプ電流を不均一であると判別する発生割合が、所定の割合を超えた場合に、放電ランプ１が異常であると判別するものであり、前述のように第７の実施形態の構成と同様であるが、比較部７１の動作が異なる。したがって、構成については説明を省略し、動作についてのみ説明する。図２０は、経過時間に対して各々（ａ）不均一電流判別回路出力、（ｂ）累積カウンタ出力、（ｃ）タイマ出力、（ｄ）発生割合（％）、（ｅ）異常検出信号、を示している。本実施形態が、第７の実施形態と異なる点は、第７の実施形態においては、不均一電流判別回路７がランプ電流を不均一であると判別した判別回数が、所定の時間内に所定の判別回数を超えた場合に、放電ランプ１が異常であると判別していたのに対し、本実施形態においては、所定期間ｔ内における不均一電流判別回路７がランプ電流を不均一であると判別した不均一電流判別の発生割合が、所定の割合を超えた場合に、放電ランプ１が異常であると判別する点である。
【００７２】
第７の実施形態においては、比較回路２４が、放電ランプ１を異常と判断するタイミングで、不均一電流の判別回数が所定値を超えると同時に異常検出信号が出力されていたのに対し、本実施形態では、所定の時間が経過してから異常を判別するため、第７の実施形態に比べると異常検出信号は、若干遅れて出力される。
しかしながら、不均一電流が発生する頻度が経過時間によって著しく異なる場合に、一定の判別値で異常が判断できるため、制御を容易にすることができる。
【００７３】
（第１０の実施形態）
第１０の実施形態を、図２１から図２３に基づいて説明する。図２１は第１０の実施形態の構成図である。図２２は、第１０の実施形態の第１の動作波形説明図である。また、図２３は、第１０の実施形態の第２の動作波形説明図である。
【００７４】
本実施形態は、異常判別回路８に関し、放電ランプ１が消灯後、再び始動回路２が動作を開始するまでの消灯時間に応じて、異常と判別する不均一電流判別回路７の所定の判別回数を変化させるものであり、第６の実施形態に、比較部７１に接続される消灯時間カウンタ１００を設けたもので、他は第６の実施形態と同じである。
【００７５】
以上の構成における動作を、図２２及び図２３の動作波形説明図にしたがって説明する。図２２は、経過時間に対する電力変換回路３の出力電圧波形を示しており、図２３は、消灯から再始動までの消灯時間と異常を判別する所定の判別回数の関係を示している。
【００７６】
放電ランプ１の消灯後、消灯時間カウンタ１００はカウントを開始する。そして、放電ランプ１が再始動した場合に消灯時間（Ｔｏｆｆ）のカウントを停止する。そして、比較部７１は、図２３により、消灯時間に対応する所定の判別回数ｎｋを選択し、累積カウンタ７０から出力されたカウント数が、消灯時間に対応する所定の判別回数を超える場合に、放電ランプ１が異常になったものと判断するのである。
【００７７】
以上のように、放電ランプ１が消灯後、再び始動回路２が動作を開始するまでの消灯時間に応じて、異常と判別する不均一電流判別回路７の所定の判別回数を変化させるので、消灯時間によって不均一電流の発生頻度が変化するので、上記のようにすることで、誤検出を抑制することができる。
（第１１の実施形態）
第１１の実施形態を、図２４から図２６に基づいて説明する。図２４は第１１の実施形態の構成図である。図２５は、第１１の実施形態の第１の動作波形説明図である。また、図２６は、第１１の実施形態の第２の動作波形説明図である。
【００７８】
本実施形態は、放電ランプ１が始動した後の、経過時間に応じて、異常と判別する不均一電流判別回路７の所定の判別回数を変化させるものであり、第６の実施形態において、始動動作時間カウンタ１９を、累積カウンタ７０だけでなく、比較部７１にも接続した構成になっている。
【００７９】
この構成における動作を図２５、図２６に基づいて説明する。図２５は、経過時間に対する出力電圧波形を示すもので、図２６は、経過時間に対する所定の判別回数を示すものである。始動動作時間カウンタ１９は、放電ランプ１の始動時にカウントを開始し、比較部７１及び累積カウンタ７０に始動後の経過時間（Ｔｏｎ）を出力する。比較部７１は、図２６に示す経過時間に対応する所定の判別回数ｎｋが記憶しており、始動動作時間カウンタ１９から経過時間の出力を受け、経過時間に対応する所定の判別回数を選び、この所定の判別回数と検出した不均一電流の累積数を比較し、累積数が所定の判別回数を超える場合に、放電ランプ１が異常であると判別する。
【００８０】
ここで、ランナップモードなどの放電ランプ１の始動後の経過時間が短い場合には、ランプ電流が不均一になりやすいので、所定の判別回数ｎｋを大きくする。一方、放電ランプ１の始動後の経過時間が長い場合には、所定の判別回数ｎｋを小さくすることで、誤検出を抑制し、放電ランプ１の状態に合った適切な判別をすることができる。
【００８１】
なお、第１の実施形態から第５の実施形態で述べた不均一電流判別回路７の実施形態と、第６の実施形態から第１１の実施形態で述べた異常判別回路８についての組み合わせについては、いずれの組み合わせでもよい。また、ランナップモードと安定点灯期間で検出の方法を切り替えて使用すれば、さらに精度良く放電ランプ１の異常を行うことができる。
【００８２】
【発明の効果】
請求項１に係る発明は、放電ランプを始動させる始動回路を有して、スイッチ素子の切り替えにより電源から放電ランプに電力を供給する電力変換回路と、スイッチ素子を制御する制御回路と、放電ランプのランプ電流を検出するランプ電流検出部と、放電ランプの異常を診断する診断部と、を有する放電ランプ点灯装置において、前記診断部は、前記ランプ電流検出部の出力を受けてランプ電流の不均一性を判別する不均一電流判別回路と、不均一電流判別回路がランプ電流を不均一であると判別した場合に放電ランプの異常と判別する異常判別回路と、を備えるようにしたので、ランプ電流が休止期間を有さない場合においても、精度よく放電ランプの寿命を検出することができる。
【００８３】
請求項２に係る発明は、請求項１記載の放電ランプ点灯装置において、前記不均一電流判別回路は、ランプ電流波形の正のサイクルの波形と、負のサイクルの波形を比較し、これらの波形が同一でないと見られる場合に、ランプ電流は不均一と判別するものであるようにしたので、簡単な方法でランプの不均一性を判別することができる。
【００８４】
請求項３に係る発明は、請求項１記載の放電ランプ点灯装置において、前記不均一電流判別回路は、ランプ電流波形の１周期における正のサイクルの波形と、負のサイクルの波形を比較し、これらが相似の関係にない場合に、ランプ電流は不均一と判別するものであるようにしたので、始動直後、ランプ電流が時間の経過とともに大きくなるような場合に、精度良く放電ランプの寿命を検出することができる。
【００８５】
請求項４に係る発明は、請求項１記載の放電ランプ点灯装置において、前記不均一電流判別回路は、ランプ電流波形の任意の１周期における高調波成分と、他の周期における高調波成分とを比較し、これらの高調波成分が同一でないと見られる場合に、ランプ電流は不均一であると判別するものであるようにしたので、ＦＦＴ演算により高調波成分する場合には、検出期間がランプ電流の１周期でさえあれば、検出を開始するタイミングは任意に設定することができるため、検出制御の自由度が広がる。
【００８６】
請求項５に係る発明は、請求項１記載の放電ランプ点灯装置において、前記不均一電流判別回路は、ランプ電流波形の任意の１周期におけるランプ電流の実効値と、他の周期におけるランプ電流の実効値とを比較し、これらが同一でないと見られる場合に、ランプ電流は不均一と判別するものであるようにしたので、比較回路による演算が１回で済むため、比較回路の負担を低減することができる。
【００８７】
請求項６に係る発明は、請求項４又請求項５記載の放電ランプ点灯装置において、前記不均一電流判別回路は、ランプ電流波形の任意の１周期と、その直前のランプ電流波形の１周期とを比較するものであるようにしたので、任意の時間内について、全周期で波形を比較することができ、検出をより正確に行うことができる。
【００８８】
請求項７に係る発明は、請求項４又請求項５記載の放電ランプ点灯装置において、前記不均一電流判別回路は、ランプ電流波形の任意の１周期と、その前の数周期分の平均値とを比較するものであるので、ノイズなどによるランプ電流の突発的な誤検出を抑制することができる。
【００８９】
請求項８に係る発明は、請求項１記載の放電ランプ点灯装置において、前記診断部に記憶部を備え、前記不均一電流判別回路は、ランプ電流波形の任意の１周期におけるランプ電流の実効値又は高調波成分と、記憶部に予め記憶されたランプ電流波形の１周期のランプ電流の実効値又は高調波成分とを比較し、これらが同一でないと見られる場合に、ランプ電流は不均一と判別するものであるようにしたので、ランプ電流が時々刻々と変化する場合においても対処することができる。
【００９０】
請求項９に係る発明は、請求項１乃至請求項８記載の放電ランプ点灯装置において、前記異常判別回路は、前記不均一電流判別回路がランプ電流を不均一であると判別した判別回数が、所定の判別回数を超えた場合に、放電ランプが異常と判別するものであるようにしたので、不均一電流の発生頻度が、経過時間に対して偏る場合においても、検出期間を調整することにより、比較部の判別値が一定の状態で検出が可能となり、制御が容易になる。
【００９１】
請求項１０に係る発明は、請求項９記載の放電ランプ点灯装置において、前記異常判別回路は、前記不均一電流判別回路がランプ電流を不均一であると判別した判別回数が、放電ランプの始動後、所定の判別回数を超えた場合に、放電ランプが異常と判別するものであるようにしたので、放電ランプ始動後、早期に放電ランプの異常を検出することができる。
【００９２】
請求項１１に係る発明は、請求項９記載の放電ランプ点灯装置において、前記異常判別回路は、前記不均一電流判別回路がランプ電流を不均一であると判別した判別回数が、所定の時間内に所定の判別回数を超えた場合に、放電ランプが異常であると判別するものであるようにしたので、不均一電流の発生頻度が、経過時間に対して著しく偏る場合においても、一定の判別値で異常が判断できるため、制御が容易になる。
【００９３】
請求項１２に係る発明は、請求項９記載の放電ランプ点灯装置において、前記不均一電流判別回路におけるランプ電流を不均一であるとの判別が、継続的に発生した場合にのみ判別回数としてカウントし、判別回数が、所定の判別回数を超えた場合に、放電ランプが異常であると判別するものであるようにしたので、突発的な外乱などの影響による誤検出を抑制することができる。
【００９４】
請求項１３に係る発明は、請求項１乃至請求項８記載の放電ランプ点灯装置において、前記異常判別回路は、所定期間内における不均一電流判別回路がランプ電流を不均一であると判別する発生割合が、所定の割合を超えた場合に、放電ランプが異常であると判別するものであるようにしたので、不均一電流の発生頻度が、経過時間に対して著しく偏る場合においても、一定の判別値で異常が判断できるため、制御が容易になる。
【００９５】
請求項１４に係る発明は、請求項９乃至請求項１３記載の放電ランプ点灯装置において、前記異常判別回路は、放電ランプが消灯後、再び始動回路が動作を開始するまでの消灯時間に応じて、異常と判別する不均一電流判別回路の所定の判別回数を変化させるようにしたので、消灯時間によって不均一電流の発生頻度が変化する場合に、誤検出を抑制することができる。
【００９６】
請求項１５に係る発明は、請求項９乃至請求項１３記載の放電ランプ点灯装置において、前記異常判別回路は、放電ランプが始動した後の、経過時間に応じて、異常と判別する不均一電流判別回路の所定の判別回数を変化させるようにしたので、放電ランプ後の経過時間によって不均一電流の発生頻度が変化する場合に、誤検出を抑制することができる。
【図面の簡単な説明】
【図１】第１の実施形態の構成図である。
【図２】第１の実施形態の回路図である。
【図３】第１の実施形態の不均一電流判別回路の構成図を示す図である。
【図４】第１の実施形態の動作波形説明図である。
【図５】第２の実施形態の構成図である。
【図６】第２の実施形態の動作波形説明図である。
【図７】第３の実施形態の構成図である。
【図８】第３の実施形態の動作波形説明図である。
【図９】第４の実施形態の構成図である。
【図１０】第４の実施形態の第１の動作波形説明図である。
【図１１】第４の実施形態の第２の動作波形説明図である。
【図１２】第５の実施形態の構成図である。
【図１３】第５の実施形態の動作波形説明図である。
【図１４】第６の実施形態の構成図である。
【図１５】第６の実施形態の動作波形説明図である。
【図１６】第７の実施形態の構成図である。
【図１７】第７の実施形態の動作波形説明図である。
【図１８】第８の実施形態の構成図である。
【図１９】第８の実施形態の動作波形説明図である。
【図２０】第９の実施形態の動作波形説明図である。
【図２１】第１０の実施形態の構成図である。
【図２２】第１０の実施形態の第１の動作波形説明図である。
【図２３】第１０の実施形態の第２の動作波形説明図である。
【図２４】第１１の実施形態の構成図である。
【図２５】第１１の実施形態の第１の動作波形説明図である。
【図２６】第１１の実施形態の第２の動作波形説明図である。
【符号の説明】
１    放電ランプ
２    始動回路
３    電力変換回路
４    制御回路
５    ランプ電流検出部
６    診断部
７    不均一電流判別回路
８    異常判別回路
【図１】
2004234923.tif 000003
【図２】
2004234923.tif 000004
【図３】
2004234923.tif 000005
【図４】
2004234923.tif 000006
【図５】
2004234923.tif 000007
【図６】
2004234923.tif 000008
【図７】
2004234923.tif 000009
【図８】
2004234923.tif 000010
【図９】
2004234923.tif 000011
【図１０】
2004234923.tif 000012
【図１１】
2004234923.tif 000013
【図１２】
2004234923.tif 000014
【図１３】
2004234923.tif 000015
【図１４】
2004234923.tif 000016
【図１５】
2004234923.tif 000017
【図１６】
2004234923.tif 000018
【図１７】
2004234923.tif 000019
【図１８】
2004234923.tif 000020
【図１９】
2004234923.tif 000021
【図２０】
2004234923.tif 000022
【図２１】
2004234923.tif 000023
【図２２】
2004234923.tif 000024
【図２３】
2004234923.tif 000025
【図２４】
2004234923.tif 000026
【図２５】
2004234923.tif 000027
【図２６】
2004234923.tif 000028